【手続補正書】
【提出日】平成29年10月19日(2017.10.19)
【手続補正１】
【補正対象書類名】特許請求の範囲
【補正対象項目名】全文
【補正方法】変更
【補正の内容】
【特許請求の範囲】
【請求項１】
紙媒体の撮像情報に基づいて生成された画像情報を取得する画像情報取得手段と、
取得した前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、前記パラメータ設定手段により設定したパラメータを用いて、表示させた前記表示画像を前記画面上で進ませる表示制御手段と、
を備えることを特徴とする情報処理装置。
【請求項２】
前記パラメータ設定手段は、取得した前記画像特徴情報に基づいて、縦又は横の寸法の異なる前記表示画像に対し、異なるパラメータを設定することを特徴とする請求項１に記載の情報処理装置。
【請求項３】
前記パラメータ設定手段は、取得した前記画像特徴情報に基づいて、画像面積の異なる前記表示画像に対し、異なるパラメータを設定することを特徴とする請求項１または２に記載の情報処理装置。
【請求項４】
前記表示制御手段は、前記パラメータ設定手段により設定したパラメータを用いて、表示させた前記表示画像の速度を制御し、該表示画像を前記画面上で進ませることを特徴とする請求項１乃至３の何れか１項に記載の情報処理装置。
【請求項５】
前記表示制御手段は、前記パラメータ設定手段により設定したパラメータを用いて、表示させた前記表示画像の速度の加速及び減速を制御し、該表示画像を前記画面上で進ませることを特徴とする請求項４に記載の情報処理装置。
【請求項６】
前記表示制御手段は、前記パラメータ設定手段により設定したパラメータを用いて、表示させた前記表示画像を進ませる方向を変更する際の角度を制御し、該表示画像を前記画面上で進ませることを特徴とする請求項１乃至５の何れか１項に記載の情報処理装置。
【請求項７】
複数の基準画像情報と、前記表示画像に設定するためのパラメータとを関連付けて記憶するパラメータ記憶手段を備え、
前記パラメータ設定手段は、前記表示画像を前記画面上で進ませるときに利用するパラメータを、前記絵の画像情報から取得した前記画像特徴情報と前記複数の基準画像から取得した画像特徴情報との比較に基づいて設定することを特徴とする請求項１乃至６の何れか１項に記載の情報処理装置。
【請求項８】
前記パラメータ設定手段は、前記表示画像を前記画面上で進ませるときに利用するパラメータとして、前記絵の画像情報から取得した前記画像特徴情報と前記複数の基準画像から取得した画像特徴情報との比較に基づき特定した１の基準画像情報に関連付くパラメータを設定することを特徴とする請求項７に記載の情報処理装置。
【請求項９】
前記表示制御手段は、ネットワークを介して接続する表示装置の前記画面上に前記表示画像を表示させることを特徴とする請求項１乃至８の何れか１項に記載の情報処理装置。
【請求項１０】
表示装置を備え、
前記表示制御手段は、前記表示装置の前記画面上に前記表示画像を表示させることを特徴とする請求項１乃至８のいずれか１項に記載の情報処理装置。
【請求項１１】
前記画像情報を取得する装置からネットワークを介して送信された該画像情報を入力する画像情報入力手段を備え、
前記表示情報生成手段は、前記画像情報入力手段により得られた前記画像情報に基づいて、前記表示画像を生成することを特徴とする請求項１乃至１０の何れか１項に記載の情報処理装置。
【請求項１２】
前記画像情報を生成する画像情報入力手段を備え、
前記表示情報生成手段は、前記画像情報入力手段により得られた前記画像情報に基づいて、前記表示画像を生成することを特徴とする請求項１乃至１０の何れか１項に記載の情報処理装置。
【請求項１３】
前記表示制御手段は、表示させた前記表示画像を画面上で進ませてレースゲームを実行することを特徴とする請求項１乃至１２の何れか１項に記載の情報処理装置。
【請求項１４】
前記画像特徴情報取得手段は、前記ユーザによって前記紙媒体に描かれた絵の高さ、該絵に含まれる所定の要素間の寸法、該絵の面積のいずれかの特徴を抽出して前記画像特徴情報を取得することを特徴とする請求項１乃至１２のいずれか１項に記載の情報処理装置。
【請求項１５】
コンピュータに搭載されるプログラムであって、
前記コンピュータを、
紙媒体の撮像情報に基づいて生成された画像情報を取得する画像情報取得手段と、
取得した前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、前記パラメータ設定手段により設定したパラメータを用いて、表示させた前記表示画像を前記画面上で進ませる表示制御手段と、
して機能させることを特徴とするプログラム。
【請求項１６】
情報処理装置と、表示装置とがネットワークを介して接続された情報処理システムであって、
前記情報処理装置は、
紙媒体の撮像情報に基づいて生成された画像情報を取得する画像情報取得手段と、
取得した前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、前記パラメータ設定手段により設定したパラメータを用いて、表示させた前記表示画像を前記画面上で進ませる表示制御手段と、を備え、
前記表示装置は、
前記情報処理装置から受信した前記表示画像に基づく表示処理を実行する表示処理手段を備え、
前記表示処理手段による表示処理の実行によって、前記画面上で前記表示画像を進ませる表示が行われることを特徴とする情報処理システム。
【請求項１７】
画像処理装置と、情報処理装置とがネットワークを介して接続された情報処理システムであって、
前記画像処理装置は、
紙媒体の撮像情報に基づいて画像情報を生成する画像情報生成手段と、
前記画像情報生成手段によって生成した前記画像情報を前記ネットワークを介して前記情報処理装置に送信する画像情報送信手段と、を備え、
前記情報処理装置は、
前記画像処理装置から入力された前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、前記パラメータ設定手段により設定したパラメータを用いて、表示させた前記表示画像を前記画面上で進ませる表示制御手段と、
を備えることを特徴とする情報処理システム。
【請求項１８】
画像処理装置と、情報処理装置と、表示装置とがネットワークを介して接続された情報処理システムであって、
前記画像処理装置は、
紙媒体の撮像情報に基づいて画像情報を生成する画像情報生成手段と、
前記画像情報生成手段によって生成した前記画像情報を前記ネットワークを介して前記情報処理装置に送信する画像情報送信手段と、を備え、
前記情報処理装置は、
前記画像処理装置から入力された前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、かつ、前記パラメータ設定手段により設定したパラメータを用いて、表示させた前記表示画像を前記画面上で進ませるための表示情報を、前記ネットワークを介して前記表示装置に送信する表示制御手段と、を備え、
前記表示装置は、
前記情報処理装置から受信した前記表示情報に基づく表示処理を実行する表示処理手段を備え、
前記表示処理手段による表示処理の実行によって、前記画面上で前記表示画像を進ませる表示が行われることを特徴とする情報処理システム。
【請求項１９】
複数の装置がネットワークを介して接続される情報処理システムであって、
紙媒体の撮像情報に基づいて生成された画像情報を取得する画像情報取得手段と、
取得した前記画像情報のうち、ユーザによって前記紙媒体に描かれた絵の画像情報から、前記絵の形状に関する特徴を抽出して画像特徴情報を取得する画像特徴情報取得手段と、
画面上に表示させる表示画像であって、少なくとも前記絵の画像情報を含む該表示画像を生成する表示情報生成手段と、
前記表示画像を画面上で進ませるときの進行方向あるいは速度の決定に利用するパラメータを、取得した前記画像特徴情報に基づいて設定するパラメータ設定手段と、
前記画面上に前記表示画像を表示させ、前記パラメータ設定手段により設定したパラメータを用いて、表示させた前記表示画像を前記画面上で進ませる表示制御手段と、
を備えることを特徴とする情報処理システム。
【請求項２０】
情報処理装置と、表示装置とがネットワークを介して接続された情報処理システムにより実行される情報処理方法であって、
紙媒体の撮像情報に基づいて生成された画像情報を取得する画像情報取得工程と、
取得した前記画像情報のうち、ユーザによって前記紙媒体に描かれた絵の画像情報から、前記絵の形状に関する特徴を抽出して画像特徴情報を取得する画像特徴情報取得工程と、
画面上に表示させる表示画像であって、少なくとも前記絵の画像情報を含む該表示画像を生成する表示情報生成工程と、
前記表示画像を画面上で進ませるときの進行方向あるいは速度の決定に利用するパラメータを、取得した前記画像特徴情報に基づいて設定するパラメータ設定工程と、
前記画面上に前記表示画像を表示させ、前記パラメータ設定工程において設定したパラメータを用いて、表示させた前記表示画像を前記画面上で進ませる表示制御工程と、
を有することを特徴とする情報処理方法。
【請求項２１】
画像処理装置と、情報処理装置とがネットワークを介して接続する情報処理システムにより実行される情報処理方法であって、
紙媒体の撮像情報に基づいて生成された画像情報を取得する画像情報取得工程と、
取得した前記画像情報のうち、ユーザによって前記紙媒体に描かれた絵の画像情報から、前記絵の形状に関する特徴を抽出して画像特徴情報を取得する画像特徴情報取得工程と、
画面上に表示させる表示画像であって、少なくとも前記絵の画像情報を含む該表示画像を生成する表示情報生成工程と、
前記表示画像を画面上で進ませるときの進行方向あるいは速度の決定に利用するパラメータを、取得した前記画像特徴情報に基づいて設定するパラメータ設定工程と、
前記画面上に前記表示画像を表示させ、前記パラメータ設定工程において設定したパラメータを用いて、表示させた前記表示画像を前記画面上で進ませる表示制御工程と、
を有することを特徴とする情報処理方法。
【請求項２２】
画像処理装置と、情報処理装置と、表示装置とがネットワークを介して接続する情報処理システムにより実行される情報処理方法であって、
紙媒体の撮像情報に基づいて生成された画像情報を取得する画像情報取得工程と、
取得した前記画像情報のうち、ユーザによって前記紙媒体に描かれた絵の画像情報から、前記絵の形状に関する特徴を抽出して画像特徴情報を取得する画像特徴情報取得工程と、
画面上に表示させる表示画像であって、少なくとも前記絵の画像情報を含む該表示画像を生成する表示情報生成工程と、
前記表示画像を画面上で進ませるときの進行方向あるいは速度の決定に利用するパラメータを、取得した前記画像特徴情報に基づいて設定するパラメータ設定工程と、
前記画面上に前記表示画像を表示させ、前記パラメータ設定工程において設定したパラメータを用いて、表示させた前記表示画像を前記画面上で進ませる表示制御工程と、
を有することを特徴とする情報処理方法。
【請求項２３】
１台以上のコンピュータが実行する情報処理の情報処理方法であって、
紙媒体の撮像情報に基づいて生成された画像情報を取得する画像情報取得工程と、
取得した前記画像情報のうち、ユーザによって前記紙媒体に描かれた絵の画像情報から、前記絵の形状に関する特徴を抽出して画像特徴情報を取得する画像特徴情報取得工程と、
画面上に表示させる表示画像であって、少なくとも前記絵の画像情報を含む該表示画像を生成する表示情報生成工程と、
前記表示画像を画面上で進ませるときの進行方向あるいは速度の決定に利用するパラメータを、取得した前記画像特徴情報に基づいて設定するパラメータ設定工程と、
前記画面上に前記表示画像を表示させ、前記パラメータ設定工程において設定したパラメータを用いて、表示させた前記表示画像を前記画面上で進ませる表示制御工程と、
を有することを特徴とする情報処理方法。
【手続補正２】
【補正対象書類名】明細書
【補正対象項目名】０００７
【補正方法】変更
【補正の内容】
【０００７】
上記課題を解決するために、本発明に係る情報処理装置は、紙媒体の撮像情報に基づいて生成された画像情報を取得する画像情報取得手段と、取得した前記画像情報のうち、ユーザによって前記紙媒体に描かれた絵の画像情報から、前記絵の形状に関する特徴を抽出して画像特徴情報を取得する画像特徴情報取得手段と、画面上に表示させる表示画像であって、少なくとも前記絵の画像情報を含む該表示画像を生成する表示情報生成手段と、前記表示画像を画面上で進ませるときの進行方向あるいは速度の決定に利用するパラメータを、取得した前記画像特徴情報に基づいて設定するパラメータ設定手段と、前記画面上に前記表示画像を表示させ、前記パラメータ設定手段により設定したパラメータを用いて、表示させた前記表示画像を前記画面上で進ませる表示制御手段とを備える。